(57)【要約】改良された歩行用杖は以下の改良点を備える。電気トーチの焦点は、小さな位置を特定したり、広い範囲を照らすために、いつでも指により調節可能である。脚部は、適所に調節された脚部を確実に保持するための二重安全構造により調整可能とされており、どの従来技術よりも、調整後、より強固に、より安全な状態となっている。小物運搬箱は取り外し可能とされており、使用者は、自由にそれを杖に取り付けることができるし、それを杖から取り外すこともできる。さらに、運搬箱は取り外し可能のため、異なるサイズや形状の箱を異なる選択で用意することができる。ハンドルが最大摩擦係数で快適に握られるために、柔らかいPTRカバーによりハンドル全体が覆われている。警報機用ホーンタイプカバーは、音響効果を増幅されるように設計されており、これにより、同じ警報機でも、そのような音響用カバーの無い警報機よりも、より音が大きくなる。また、ホーンの隙間に何かが近づけられると、より音が大きくなる。【選択図】図１
2008516704.tif 000002
【特許請求の範囲】
【請求項１】
節状の縁部を有し、電気的なトーチの光線の焦点を調整するねじ込み式の反射鏡と、
内筒内の押しボタン式ロッキングピンと、脚部全体を所望の長さに選択的に固定するための外筒の複数の結合孔と、
外筒の下端に配置され、外筒を内筒に強固に締め付けることで、長さ調整後の外筒と内筒の間で発生する緩みを防止する、外側表面に節を有するねじ締め式ねじ蓋と、
クランプ用ブラケットにより上部脚部に取り付け可能とされる取り外し可能な小物運搬箱と、
ハンドルの柔らかさと杖のハンドルと使用者のグリップの間の摩擦係数の両方を増大させる組み立てられたハンドルハウジング上にモールドされるソフトなPTRカバーと、
音の増幅効果を作るために警報機と協調する一体ホーン型カバーと、
を備える改良された多機能の歩行用杖。
【請求項２】
一般の慣習に応じて警報機とフラッシュライト両方の周波数を定めるために用いられるプリント配線基板（PCB）をさらに備える請求項１に記載の改良された多機能の歩行用杖。
【請求項３】
ハンドルの外部から届き、プリント配線基板上に配置される電池を充電するための端子を備える請求項２に記載の改良された多機能の歩行用杖。
【請求項４】
警報機とLED回路それぞれの制御に用いられる分離されたスイッチを備える請求項２に記載の改良された多機能の歩行用杖。
【請求項５】
前記電気的なトーチ、覆われた警報機およびPTRカバーにより歩行用杖のハンドルが形成され、ハンドルはねじ式接続器により脚部（軸）に接続される請求項１に記載の改良された多機能の歩行用杖。
【請求項６】
透明なプラスチックの筒の端部の孔から単純に引き抜かれ、かつ差し込まれるゴム製端部を備える請求項１に記載の改良された多機能の歩行用杖。
【請求項７】
前記ねじ締め式ねじ蓋は、外側脚部の端面に隣接する内側プラスチックリングを備える請求項１に記載の改良された多機能の歩行用杖。
【請求項８】
一対の外側と内側の脚部は、相対回転を防止するために断面非円形で製造されるものである請求項１に記載の改良された多機能の歩行用杖。
【請求項９】
前記断面は八角形である請求項８に記載の改良された多機能の歩行用杖。
【請求項１０】
前記脚部はアルミニウムの筒で形成されるものである請求項８に記載の改良された多機能の歩行用杖。
【発明の詳細な説明】
【発明の分野】
【０００１】
この発明は歩行用杖に関連し、特に多機能の歩行用杖に関するものである。
【発明の背景】
【０００２】
歩行用杖は、人の歩行を助けるものとして用いられる。どんな歩行用杖でも、主な機能は、歩行者の体重を手を通して部分的に支えるものである。そのような場合、歩行者は、杖を手にしない場合よりも、より遠くまで、より安全に歩くことができる。また、他の機能は、犬、蛇、その他を驚かせて直接的に歩行を助けることである。通常、ほえている犬は、杖を手に持っている人を恐れる。歩行者の近くの草むらにいる蛇は、歩行用杖が静かな草むらをかき乱すと、恐れて逃げていく。したがって、最近では、高齢者が歩行用杖を使うだけではなく、頑強なスポーツマンもハイキング中に歩行用杖を使うのである。
【０００３】
現在、電気によるトーチやフラッシュライトは、道路を照らしたり、他者へ注意を与えるものとして、一般的に歩行用杖に装備されている。それらは、米国特許4,625,742、米国特許5,588,735、米国特許5,810,466、ドイツ特許201 10 651 U1、中国特許2092897Y、中国特許2577644Y、中国特許2693054Yである。いくつかの特許は、歩行用杖を使用している人の場所を知らせるために、警報機を歩行用杖に組み込んだものである。それらは、英国特許2404144A、中国特許2167582Y、中国特許2188294Yである。いくつかの特許は、小さな物を持ち歩くための運搬箱を歩行用杖に設けたものである。それらは、ドイツ特許299 00 220 U1、中国特許2629502Y、中国特許2599966Yである。いくつかの特許は、伸縮自在の脚部（軸）を備えるものである。それらは、中国特許2271282Y、香港特許1066400Aである。すべての開示された多機能の歩行用杖は、以下の欠点がある。
１）すべての従来技術の電気トーチは単純すぎるため、光の焦点を調整することができない。使用者が暗闇を歩くとき、使用者は、時には小さな場所を特定したい場合や、時には広い範囲に光を照射したい場合がある。したがって、どの従来技術も、この機能を実現していない。
２）ほとんどの従来技術は、使用者の高さに合わせるための調整可能な脚部（軸）を持っていない。このことは、長期旅行において、使用者に不快感を与えるものである。長さ調整の無い歩行用杖は、歩行中に腕の痛みを引き起こす。従来技術のいくつかは、杖の長さを調節する伸縮自在の脚部（軸）を持っている。それらには、内側の脚部と外側の脚部を適所に固定する機能に用いられる固定リングがあるだけであり、衝撃（突然の負荷）が発生したり、内側の脚部の表面と外側の脚部の表面に潤滑油（水も含む）が存在した場合、内側の脚部は固定リングによっては確実に固定されない状態となり、伸張された伸縮自在の軸は押し入れられる。使用中に歩行用杖が突然短くなることは、使用者にとってとても危険なことである。
３）すべての従来技術は、取り外し不可能で変更不可能な小さな物用の運搬箱を持っている。使用者は杖に付けられた運搬箱が必要な場合があるし、杖に付けられた運搬箱が必要ない場合があることは明らかである。さらに、使用者はより大きい運搬箱が必要な場合があるし、より小さな運搬箱、その他が必要な場合がある。
４）ほとんどの従来技術は、杖のハンドルと使用者のグリップの間の摩擦について考慮していない。杖のハンドルと使用者のグリップの間に十分な摩擦が無い場合、使用者はハンドルを握るためにより強く握る必要があり、これにより、使用者はすぐに疲れてしまう。また、不快なハンドルは、使用者の手に痛みを発生させる。
５）すべての従来技術は、音響について考慮されておらず、警報機（または音発生器）は杖のハンドルにやみくもに挿入されており、音響的な必要性は考慮されていない。したがって、警報機からの音はハウジングにかき消される。また、増幅的な効果は得られていない。
【０００４】
発明の概要
この発明の目的は、従来技術から改良された多機能の歩行用杖を提供することである。この発明によれば、この発明の歩行用杖は以下に続く側面で改良されている。
１）電気トーチの焦点は、いつでも指により調節可能である。これにより、トーチライトは、小さな位置を特定するために収束され、また、広い範囲を照らすために分散される。
２）脚部は、適所に調節された脚部（軸）を確実に保持するための二重安全構造により、調整可能とされている。これにより、脚部（軸）は、どの従来技術よりも、軸の長さを調整した後、より強固に、より安全な状態となっている。
３）小物運搬箱は取り外し可能とされている。これにより、使用者は、自由にそれを杖に取り付けることができるし、それを杖から取り外すこともできる。さらに、運搬箱は取り外し可能のため、異なるサイズや形状の箱を異なる選択で用意することができる。
４）柔らかいPTRカバーによりハンドル全体が覆われている。これにより、ハンドルは最大摩擦係数で快適に握られる。
５）警報機用ホーンタイプカバーは、音響効果が増幅されるように設計されている。これにより、同じ警報機でも、そのような音響用カバーの無い警報機よりも、より音が大きくなる。また、ホーンの隙間に何か（例えば、手）が近づけられると、より音が大きくなる。
【０００５】
上述した目的を達成するために、この発明の多機能の歩行用杖は以下のものを備える。節状の縁部を有し、電気的なトーチの光線の焦点を調整するねじ込み式の反射鏡。内筒内の押しボタン式ロッキングピンと、脚部全体を所望の長さに選択的に固定するための外筒の複数の結合孔。外筒の下端に配置され、外筒を内筒に強固に締め付けることで、長さ調整後の外筒と内筒の間で発生する緩みを防止する、外側表面に節を有するねじ締め式ねじ蓋。クランプ用ブラケットにより上部脚部に取り付け可能とされる取り外し可能な小物運搬箱。ハンドルの柔らかさと杖のハンドルと使用者のグリップの間の摩擦係数の両方を増大させる組み立てられたハンドルハウジング上にモールドされるソフトなPTRカバー。音の増幅効果を作るために警報機と協調する一体ホーン型カバー。
【０００６】
実施形態の詳細な説明
この発明の多機能の歩行用杖の最も重要な部品を示す断面図である図１と、図２の側面図である図２を参照する。図１および図２において、１は歩行用杖のハンドル(組立品)であり、通常はプラスチックで二等分されて形成される。２は、ハンドル１の外側表面にモールドされるPTRプラスチックコーティングである。３は電気トーチ（組立品）であり、４は、電気トーチ３の制御スイッチである。５は、フラッシュライト２０の制御スイッチと警告用警報機７の制御スイッチである。６は警告用警報機のソケットである。８は、警告用警報機７のホーン型カバーである。９と４５は、上側と下側の電池であり、この発明では２つの単三電池が用いられる。しかし、実際には、いかなる型や個数の電池も用いられることは明らかである。１０はプリント配線基板（PCB）であり、警報機７とフラッシュライト４１、４２の両方を制御を利用するために用いられる。プリント配線基板は必須ではなく、後に説明される。１１はプリント配線基板上に配置された充電目的用の端子であり、ハンドル１の外部から接続可能である。１２は電池室のカバーである。１３は円柱形状の電池室である。１４は配線コネクターである。１５は、ハンドル１と外側脚部１６と接続するねじ式コネクターである。１７は、脚部全体の高さを調節するための複数の孔である。１８は、内側脚部１９を外側脚部１６内に強固に固定するためのロック用蓋である。２１は交換可能な先端部である。これは、透明なプラスチックチューブ４３の端部の孔に単純に引き抜かれ、また差し込まれるものである。２２は、小物を入れるための運搬箱であり、歩行用杖の上側（外側）の脚部（軸）に取り付けられる。１８は歩行用杖の下側（内側）脚部（軸）である。１３は、取り外し可能な小物運搬箱である。この発明では、箱１３は、クランプブラケット４４により、外側脚部１６に固定される。
【０００７】
図３は、この発明に用いられるロック用蓋を示すための図である。従来技術では、外側脚部１６に固く拘束された内側脚部１９を保持する手段は存在しなかった。一方、この発明では、外側脚部１６の下端にねじ山が形成され、ロック用蓋１８は、それに合うねじ山をその内部の表面に有しており、これが用いられる。プラスチックリング３０１は、外側脚部１６の筒部端部とロック用蓋１８の底部の間に配置されている。一旦蓋１８が外側脚部１６の端部ねじ山にはめ込まれると、蓋１８の底部はリング３０１を押圧し、それを横方向に膨張させる。このように、外側脚部１６と内側脚部１９は、強固な１つの物体となる。内側脚部１９を外側脚部１６上で滑らせる前は、蓋１８は最初は緩められなければならない。
【０００８】
電気トーチ組立品３の細部については、図４を参照されたい。２３はランプ（バルブ）２４を導入するためのソケットである。２５は調整カップである。円柱状部分の外側表面には、ねじ山が設けられており、開口部の縁部には節が設けられているため、カップ２５が節の縁部により回転させられた場合、ねじソケットに合うように、外側に延ばされたり、内側に縮まされる。２６は、ランプ（バルブ）２４からの光を集中させるための調整カップに支持される反射鏡である。したがって、調整カップ２５の節の縁部が少し回転されると、反射鏡２６は前進あるいは後退し、ランプ（バルブ）２４からの光は、小さな場所を特定するために集中するか、あるいは、広い範囲を照らすために分散する。２７はレンズである。２８は電気端子である。
【０００９】
この発明の図１に戻ると、外側脚部１６と内側脚部１９は、伸縮自在に接続されている。孔１７の列は、脚部全体（外側脚部１６と内側脚部１９）の長さを調整するために、外側脚部１６に設けられている。内側脚部１９内に配置される押しボタン式ロッキングピン３６は、脚部１６および１９の両方により成る長さを固定するために、孔１７のうちの１つを通して外側に伸長する。ピン３６は、スプリング３５に力をかけられており、ピン３６およびスプリング３５は、両方とも円柱状のカップ３４内に配置されている。カップ３４は、図示するように、内側脚部１９内に接着されている。ロッキングピン３６を選択された孔１７に合わせるために、使用者は、孔１７を越えてロッキングピン３６を押し込む必要があり、その後、次の孔１７にピン３６が合うまで内側脚部１９をスライドさせる。内側脚部１９がスライドする場合、外側脚部１６の内側の空間は徐々に変化し、したがって、この空間の電気配線２９は、変化する長さに合うように曲げられる。一方、内側脚部１９の内部では、電気配線の長さは変化しないため、直線状の配線３７が用いられる。曲線状の配線２９は、上部コネクター１４から下部コネクター３３まで設けられている。３２は曲線状の配線２９の固定部である。３０は、曲線状の配線２９のメールプラグである。３１は、直線状の配線３７のプラグである。内側脚部１９と外側脚部１６の相対的に起こる回転を防止するために、内側脚部１９と外側脚部１６は両方とも、断面が非円形に製造される。この発明では、八角形のアルミニウムチューブが用いられている。
【００１０】
次に、図1および図４を参照する。図４の拡大図は、ハンドル１の組立品をより詳細に説明するための図であり、特に、一対の警報機カバーを示すものである。簡単に言うと、一体ホーンタイプのカバーは、１００年前に、聴覚を助けるホーンとして実現されている。通常の使用では、警報機からの音はホーンにより集中し、ホーンなしの場合の警報機よりも音が大きくなる。いくつかのケースでは、仮に物（例えば、手）が、開口部から所定の距離内に近づいた場合、警報機からの音は更に大きくなる。この機能は、吼える犬のように、侵入者を怖がらせることに用いられる。もちろん、警報機からの音は、杖の使用者が見えない位置にいる場合に、救助用の信号としても用いられる。
【００１１】
次に、図１、図２および図５を参照する。図５の拡大図は、透明なプラスチックチューブ４３に覆われた警告用フラッシュを示すものである。３９と４０は２つのプラスチックチューブであり、１つは円柱状であり、１つは円錐状である。３８は、直線状の配線３７のメールプラグである。４１と４２は、２つのLEDランプ（バルブ）である。フラッシュライトは２つのLEDランプから発光されるものであり、杖の使用者の位置を示すために用いられたり、蛇などのような、杖の使用者に接近するものに警告を与えるためにも用いられる。最も遠距離の視認性を得るためには、赤いLEDが推奨される。一方、別の色のLEDも用いられる。このフラッシュライトは、日中は消灯することができる。
【００１２】
次に、図６を参照する。上述したように、この発明では、フラッシュライト４１，４２および警報機７の制御に利用するために、プリント配線基板が用いられる。仮にプリント配線基板を用いないとすると、エネルギーが供給されたとき、警報機７とLED４１、４２が連続的に、音を発し、光を発生する。ある種類のLEDランプは、プリント配線基板の制御無しで点灯するが、点灯の周波数は不安定なものとなる。プリント配線基板を用いることにより、LEDの点灯周波数と音の間欠は安定する。また、警報機の音は、間欠型として制御される。これにより、エネルギーが節約されるだけでなく、音のタイプと点灯のタイプは一般の習慣に応じて設定される。例えば、音と点灯の周波数は、警察の車を模倣することができる。したがって、図６に示すプリント配線基板を用いることにより、２つの単三電池は、四時間の間、すべての電気消費機能（電気トーチ、警報機およびフラッシュLED）を実現できる。３つの機能を同時に使うことは必要でないため、例えば、使用者が暗い場所にいる場合、電気トーチはオンとされる必要があるが、フラッシュライトは必要ではない。もし使用者が停止位置に来た場合、使用者は、他人に自分の位置を知らせるためにフラッシュライトをオンにし、電気トーチをオフにする。したがって、２つの単三電池は、選択的に、八時間の間、この発明のすべての電気消費機能を実現することができる。
【００１３】
図６において、警報機の回路とLEDの回路の両方がスイッチにより制御されるが、実際上は、分離されたスイッチがそれぞれの回路に用いられる。これにより、エネルギーはさらに節約され、電池がより長く持続する。
【図面の簡単な説明】
【００１４】
【図１】図１は、この発明の多機能の歩行用杖の断面図である。
【図２】図２は、図1の左側から見た側面図である。
【図３】図３は、この発明に用いられるロック用蓋の構造を示す概略図である。
【図４】図４は、ハンドルの詳細な構造を示す拡大図である。
【図５】図５は、警告用フラッシュの詳細な構造を示す拡大図である。
【図６】図６は、この発明の多機能の歩行用杖の回路図である。
【図１】
2008516704.tif 000003
【図２】
2008516704.tif 000004
【図３】
2008516704.tif 000005
【図４】
2008516704.tif 000006
【図５】
2008516704.tif 000007
【図６】
2008516704.tif 000008
【国際調査報告】
2008516704.tif 000009
2008516704.tif 000010
2008516704.tif 000011
2008516704.tif 000012